(57)【要約】【課題】低コストで確実かつ容易にハーネス保持クリップの金属部の有無を検出すると共に、費用を低く抑えること。【解決手段】ハーネス保持クリップ５０を配設するセット部１２が基台１０に形成されている。基台１０内に形成された穴部２２内の第１位置と第２位置との間でセット部１２に対して遠近方向に移動可能に配設された磁石２０と、磁石２０が第１位置にある状態で操作部３２が押圧解除され、磁石２０が第２位置にある状態で操作部３２が押圧されることにより、オン、オフ切換えされるスイッチ３０とが、基台１０内に設けられている。【選択図】図２
2010008267.tif 000002
【特許請求の範囲】
【請求項１】
ハーネス保持クリップの磁性体金属部を検出するハーネス保持クリップの金属部検出装置であって、
前記ハーネス保持クリップを配設可能なセット部を有する基台と、
前記基台に設けられた穴部空間内の第１位置と第２位置との間で移動自在で、前記ハーネス保持クリップが前記セット部に配設された状態で、ハーネス保持クリップの磁性体金属部に対する吸着力により前記第１位置から前記第２位置に移動可能に配設された磁石と、
前記磁石が前記第１位置にあるとき押圧解除された状態になると共に、前記磁石が前記第２位置にあるとき前記磁石に押圧された状態になる操作部を有し、前記操作部の押圧、押圧解除の状況に応じてオン、オフ切換えられるスイッチと、
を備えるハーネス保持クリップの金属部検出装置。
【請求項２】
請求項１記載のハーネス保持クリップの金属部検出装置であって、
前記基台を固定設置可能な固定部をさらに備える、ハーネス保持クリップの金属部検出装置。
【発明の詳細な説明】
【技術分野】
【０００１】
この発明は、ハーネス保持クリップの金属部を検出するための技術に関する。
【背景技術】
【０００２】
車両に配設されるワイヤーハーネスは、例えば、ハーネス保持クリップを介して固定される。このようなハーネス保持クリップとして、樹脂製の外装部分に車体固定用のバネ特性を有する金属部を組込んだ構成のものがある。かかる金属部の欠落を確認するための従来技術として、金属の導電性を利用し、一対の接触ピンを金属部に接触させ、その導通の有無によってハーネス保持クリップの金属部の有無を検出する技術がある。
【発明の開示】
【発明が解決しようとする課題】
【０００３】
しかしながら、上記金属部には保護膜等の表面処理がなされていることが通常である。このため、上記従来技術によると、接触ピンと金属部の間の電気的な接触不良による検出ミスが発生する恐れがあった。
【０００４】
また、金属部を検出する他の方法として、近接センサを使用することが考えられるが、この場合、装置自体の製造コストが高くなってしまうという問題があった。
【０００５】
そこで、本発明は、低コストで確実かつ容易にハーネス保持クリップの金属部を検出できるようにすることを目的とする。
【課題を解決するための手段】
【０００６】
上記課題を解決するため、第１の態様に係るハーネス保持クリップの金属部検出装置は、ハーネス保持クリップの磁性体金属部を検出するものであって、前記ハーネス保持クリップを配設可能なセット部を有する基台と、前記基台に設けられた穴部空間内の第１位置と第２位置との間で移動自在で、前記ハーネス保持クリップが前記セット部に配設された状態で、前記ハーネス保持クリップの磁性体金属部に対する吸着力により前記第１位置から前記第２位置に移動可能に配設された磁石と、前記磁石が前記第１位置にあるとき押圧解除された状態になると共に、前記磁石が前記第２位置にあるとき前記磁石に押圧された状態になる操作部を有し、前記操作部の押圧、押圧解除の状況に応じてオン、オフ切換えられるスイッチと、を備えている。
【０００７】
第２の態様に係るハーネス保持クリップの金属部検出装置は、前記基台を固定設置可能な固定部をさらに備えているものである。
【発明の効果】
【０００８】
第１の態様に係るハーネス保持クリップの金属部検出装置によると、ハーネス保持クリップをセット部に配設すると、磁石の磁性体金属部に対する吸着力により、磁石が第２位置に移動する動作を利用して、スイッチのオン、オフが切換えられる。そして、このスイッチのオン、オフ状態に基づいて、確実かつ容易にハーネス保持クリップの金属部の有無を調べることができる。また、このハーネス保持クリップの金属部検出装置は、近接センサを用いる場合に比べて低コストで製造できる。
【０００９】
また、第２の態様に係るハーネス保持クリップの金属部検出装置によると、基台を、固定部を介してハーネス組立箇所等の所定位置に固定できる。このため、ハーネスに取付けられたハーネス保持クリップを基台のセット部にセットすることで、ハーネスを所定位置に固定しつつ、上記金属部の有無を検出することができる。
【発明を実施するための最良の形態】
【００１０】
以下、本実施形態に係るハーネス保持クリップの金属部検出装置について、図を参照して詳細に説明する。
【００１１】
図１は、ハーネス保持クリップ５０を示す図である。まず、ハーネス保持クリップ５０の金属部検出装置の検出対象であるハーネス保持クリップ５０について説明する。
【００１２】
ハーネス保持クリップ５０は、ハーネス６０を車両のクリップ取付部６２に保持するものである。ここで、クリップ取付部６２は、例えば車体の金属フレーム又は樹脂フレーム等である。
【００１３】
ハーネス保持クリップ５０は、金属部５２と、外装部５４と、ハーネス保持部５６とを備えている。
【００１４】
金属部５２は、磁石の吸着力により吸着される磁性体金属の帯状バネ部材で形成されている。金属部５２は、帯状バネ部材の略中央を湾曲させて、全体を略Ｕ字形状に形成すると共に、略Ｕ字形状部分の両端側部分を湾曲部に向けて内側に略Ｖ字形状に折曲し、その両先端部を当接させた形状に形成されている。このように形成された金属部５２は、自己の弾性力により略Ｖ字状に折曲げられた部分の先端部間にクリップ取付部６２を挟持可能に構成される。これにより、ハーネス保持クリップ５０がクリップ取付部６２に対して一定位置及び一定姿勢で取付固定されるようになっている。
【００１５】
外装部５４とハーネス保持部５６は、樹脂等で一体成型された部材である。外装部５４は、金属部５２の外周面形状と略同形状に形成されている。そして、金属部５２が外装部５４の内側に嵌め込まれている。この状態では、外装部５４は金属部５２の外周囲面略全体を覆っており、ハーネス保持クリップ５０の外観を一目観察しただけでは、金属部５２の有無を容易に確認することはできない。
【００１６】
ハーネス保持部５６は、複数の電線等を結束したハーネス６０を巻付け保持できる帯状部材で形成され、外装部５４の略Ｕ字形状部分の片側外側面に設けられている。ハーネス保持部５６がハーネス６０を巻付け保持する構成としては、一般的な電線用の結束タイ或いは結束バンド等の構成を適用できる。
【００１７】
次に、ハーネス保持クリップ５０の金属部検出装置について説明する。
【００１８】
図２は、ハーネス保持クリップ５０の金属部検出装置の正面図、図３はハーネス保持クリップ５０の金属部検出装置の側面図、図４はハーネス保持クリップ５０の金属部検出装置の動作を示す正面図、図５はハーネス保持クリップ５０の金属部検出装置の動作を示す側面図である。
【００１９】
本実施形態に係るハーネス保持クリップ５０の金属部検出装置は、基台１０と、磁石２０と、スイッチ３０と、検出部４０とを備えている。
【００２０】
基台１０は、樹脂等で形成された略直方体形状の部材であり、ハーネス保持クリップ５０を配設可能なセット部１２を有している。
【００２１】
セット部１２は、基台１０に対して一定位置及び一定姿勢で、ハーネス保持クリップ５０の金属部５２と外装部５４とをセット可能に形成されている。
【００２２】
ここでは、セット部１２は、外装部５４より大きな（ここでは外装部５４をがたつき無くセット可能な程度に当該外装部５４より僅かに大きな）凹形状として、基台１０に形成されている。
【００２３】
より具体的には、セット部１２は、基台１０のうち隣接する２面において開口する略直方体の凹形状に形成されている。そして、金属部５２及び外装部５４は、セット部１２の一方の開口（図２及び図４で正面に表される開口）を通じて所定の挿脱方向Ｐ（図５参照）に沿ってセット部１２に対して挿脱される。また、金属部５２及び外装部５４を挿脱する際に、ハーネス保持部５６はセット部１２の他方の開口（図２及び図４において下方に向く開口）を通じてセット部１２から外方に延出するように構成されている。
【００２４】
上記セット部１２は、金属部５２と外装部５４の挿脱と、ハーネス保持部５６の突出方向とが別方向（ここでは直交する方向）である凹形状に形成されているが、必ずしもその必要はない。例えば、セット部１２は、一方向の開口を有する凹形状に形成され、当該開口を通じて金属部５２と外装部５４とが挿脱され、かつ、当該開口を通じてハーネス保持部５６が外部に延出する構成であってもよい。つまり、セット部１２は、ハーネス保持部５６を外方に延出させた姿勢で金属部５２と外装部５４とを一定位置及び一定姿勢で保持可能な構成であればよい。
【００２５】
また、基台１０には、ハーネス保持クリップ５０の挿脱方向Ｐに沿ってハーネス保持部５６の先端部５６ａを逃す溝１６が形成されている。この溝１６は、ハーネス保持クリップ５０をセット部１２にセットする際、ハーネス保持部５６の先端部５６ａと基台１０とが干渉することを防止するために設けられている（図５参照）。
【００２６】
さらに、セット部１２は、外装部５４のセット時に、その外装部５４をガイドする一対のガイド１４を有している。一対のガイド１４は、セット部１２を形成する面のうち、セットされた外装部５４を挟んで対向する面に形成されている。当該一対のガイド１４は、外装部５４の挿脱方向Ｐに沿って延びる凸条に形成されている。一対のガイド１４と、セット部１２の面のうち一対のガイド１４の内側面と対向する面との間に、外装部５４を配設可能な空間が形成されている。また、一対のガイド１４間の寸法は、外装部５４の幅よりも小さく、かつ、ハーネス保持部５６の幅よりも大きくなるように設定されている。そして、一対のガイド１４は、外装部５４をセット部１２内にセットする際に、外装部５４が一対のガイド１４に摺接することで、外装部５４がセット部１２から抜出ないようにガイドする。最終的なセット状態で、金属部５２と外装部５４とが所定のセット位置（ここでは図２における磁石２０の側方）に配設されるように、一対のガイド１４が外装部５４を位置決めするように構成されている。
【００２７】
また、この検出装置は、基台１０を固定設置するための固定部１８を備えている。ここでは、固定部１８は、基台１０を所定位置に支持する棒状部材（ここでは略Ｌ字状の棒状部材）として構成されている。固定部１８の先端部は、基台１０に形成された固定穴部１８ｈに挿通固定されている。また、固定部１８の基端部は、ハーネス６０を組み立てるための図板７０等に固定可能に構成されている。そして、固定部１８の基端部を図板７０等に固定することで、本検出装置が図板７０上の所定位置に所定姿勢で固定支持されるようになっている。ここでは、セット部１２のうちハーネス保持部５６を外部に突出させる側の開口を下向きにした姿勢で、基台１０が固定支持される。
【００２８】
ここで、固定部１８は、棒状部材である必要はなく、一定位置及び一定姿勢で基台１０を固定可能な構成であればよい。
【００２９】
また、基台１０内には、セット部１２に対して遠近方向に移動可能な磁石２０と、磁石２０がセット部１２に対して近接移動したとき操作部３２が押圧されてオン状態になるスイッチ３０とが設けられている。ここでは、基台１０に設けられた穴部２２内に、セット部１２にセットされたハーネス保持クリップ５０の金属部５２と外装部５４に対して遠近方向に移動可能に磁石２０が配設されている。
【００３０】
穴部２２は、基台１０内のセット部１２の開口以外の周囲に形成されている。ここでは、図２で示すようにセット部１２の側方に形成されている。また、穴部２２は、磁石２０をセット部１２に対して遠近方向に移動可能に配設できる穴形状に形成されている。つまり、略板状に形成された磁石２０に対して、穴部２２のうち上記遠近方向の寸法は磁石２０の厚みより大きく形成され、穴部２２のうち上記遠近方向に略直交する面方向の大きさは、磁石２０より大きく形成されている。ここでは、穴部２２は、略直方体空間状に形成されている。
【００３１】
磁石２０は、一般的な永久磁石であり、略方形板状に形成されている。磁石２０は、穴部２２内で、第１位置と第１位置よりセット部１２に近い第２位置との間で移動可能に配設されている。ここでは、磁石２０が穴部２２内でセット部１２から離れる側に移動し、後述のスイッチ３０の操作部３２が押圧解除状態になる位置が第１位置であり、磁石２０が第１位置よりセット部１２に近い側に移動し、スイッチ３０の操作部３２が押圧状態になる位置が第２位置である。
【００３２】
ここで、上記磁石２０は、第１位置と第１位置よりセット部１２に近い第２位置との間で、つまり、セット部１２に対して遠近方向に移動可能に配設される必要はない。つまり、磁石２０は、穴部２２内の第１位置と第２位置の間で移動可能で、かつ、ハーネス保持クリップ５０が前記セット部１２に配設されると、ハーネス保持クリップ５０の金属部５２に対する吸着力により第１位置から前記第２位置に移動可能に配設されていればよい。
【００３３】
上記磁石２０は、セット部１２にハーネス保持クリップ５０がセットされていない状態では、後述のスイッチ３０の操作部３２の弾性復元力により押戻されて第１位置に位置すると共に、セット部１２にハーネス保持クリップ５０がセットされている状態では、ハーネス保持クリップ５０の金属部５２に対する吸着力によりスイッチ３０の操作部３２を押圧して第２位置に位置する程度の磁力を有している。
【００３４】
ここで、穴部２２及び磁石２０は、上記形状に限定されるものではなく、磁石２０がセット部１２に対して遠近方向に移動可能であるような形状に形成されていればよい。例えば、略円形板状の磁石２０が略円柱空間状の穴部２２内に配設されていてもよい。
【００３５】
スイッチ３０は、磁石２０が第１位置にあるとき押圧解除された状態になると共に、磁石２０が第２位置にあるとき磁石２０に押圧された状態になる操作部３２を有している。そして、スイッチ３０は、操作部３２の押圧、押圧解除により、オン、オフ切換えされる。
【００３６】
より具体的には、スイッチ３０は、スイッチ本体３１、操作部３２、プランジャ３４を有している。操作部３２は、板バネ状に形成されており、スイッチ本体３１の一側面に斜め姿勢で固定されている。プランジャ３４は、スイッチ本体３１の上記一側面に設けられており、操作部３２が押圧されたときに押し込まれた状態になると共に、操作部３２が押圧解除されて弾性復帰したときに押し込まれていない復帰状態になるように構成されている。
【００３７】
上記スイッチ３０は、操作部３２の先端部を磁石２０とセット部１２の間であって磁石２０の移動経路上に配設した姿勢で、基台１０に組込まれている。そして、セット部１２にハーネス保持クリップ５０の外装部５４がセットされていない状態及びセットされた外装部５４内に金属部５２が取り付けられていない状態では、操作部３２は自己の弾性復元力により、磁石２０を第１位置に押戻している。これにより、プランジャ３４は、押し込まれていない状態に保たれ、スイッチ３０はオフ状態に維持される。
【００３８】
そして、セット部１２にハーネス保持クリップ５０の外装部５４及び金属部５２がセットされた状態では、磁石２０は、金属部５２に対する吸着力により第１位置から第２位置に移動する。すると、磁石２０が操作部３２の弾性復元力に抗して操作部３２を押圧する。これにより、操作部３２を介してプランジャ３４が押し込まれ、スイッチ３０はオン状態に切換わる。
【００３９】
ここで、スイッチ３０は、上記形態に限定されるものではなく、磁石２０が第１位置と第２位置の間で移動するときオン、オフ切換えされるものであればよい。例えば、磁石２０が第２位置にあるとき押圧されるような押しボタンスイッチであってもよい。また、このスイッチ３０は、操作部３２が押圧されたときにオン状態になるものに限定されず、操作部３２が押圧解除されたときにオン状態になるものであってもよい。つまり、磁石２０の第１位置と第２位置との間の移動によりオン、オフ切換えされるものであればよい。
【００４０】
検出部４０は、直列に接続された電源４２と電球４４とを備えており、スイッチ３０の出力端子と電気的に直列に接続されている。そして、検出部４０は、磁石２０によりスイッチ３０の操作部３２が押圧されたか否かをスイッチ３０のオン、オフをもって検出し、その検出結果を電球４４により報知出力している。
【００４１】
すなわち、磁石２０が第１位置にある状態では、スイッチ３０の操作部３２は押圧解除された状態で、スイッチ３０はオフ状態にあるため、電球４４は点灯しない。また、磁石２０が第２位置にある状態では、スイッチ３０の操作部３２は押圧された状態で、スイッチ３０はオン状態になるため、電球４４は点灯する。
【００４２】
ここで、検出部４０は、電源４２と電球４４に限定されるものではなく、スイッチ３０のオン、オフを検出できるものであればよい。例えば、電源とブザーを組合わせたもの、或いは、テスターのような導通検査を行うことができる機器、導通の有無を検出信号として出力するものであってもよい。
【００４３】
＜動作＞
本実施形態に係るハーネス保持クリップ５０の金属部検出装置の動作を説明する。
【００４４】
まず、初期状態では、磁石２０はスイッチ３０の操作部３２の弾性復元力によって押戻されて第１位置に位置している。そして、スイッチ３０は、プランジャ３４が操作部３２によって押し込まれないため、オフ状態になっている（図２参照）。
【００４５】
この状態で、ハーネス保持クリップ５０を、金属部５２及び外装部５４の略Ｕ字形状の先端側から、挿脱方向Ｐに、ガイド１４に沿ってセット部１２に挿入することにより、セット部１２の所定のセット位置にセットする。
【００４６】
このとき、ハーネス保持部５６は、セット部１２の挿入側とは他方の開口から突出している。このため、ハーネス保持部５６にハーネス６０を保持したままであってもよい。或いは、本検査中に、金属部５２及び外装部５４をセット部１２にセットした状態でハーネス保持部５６にハーネス６０を保持する作業を行うことができる。
【００４７】
セット部１２にセットされた外装部５４に金属部５２が取付けられている場合、磁石２０は金属部５２に対する吸着力により第１位置から第２位置に移動する。そして、磁石２０の移動経路上に配設されたスイッチ３０の操作部３２は、磁石２０に押圧された状態になる。そしてさらに、この操作部３２によってプランジャ３４が押し込まれ、スイッチ３０はオン状態に切換わる。これにより、検出部４０とスイッチ３０を含む回路内には電源４２による電流が流れて電球４４が点灯し、この電球４４の点灯によって金属部５２がハーネス保持クリップ５０の外装部５４に取付けられているか否かが報知される。作業者は、本報知によって金属部５２の存在を確認することができる。この後、セット部１２から外装部５４及び金属部５２を取り去ると、本検査装置は上記初期状態に戻り、電球４４は非点灯状態に切換わる。
【００４８】
セット部１２にセットされた外装部５４に金属部５２が取付けられていない場合、磁石２０は板バネで形成された操作部３２の弾性復元力により押戻されたまま第１位置に留まる。つまり、操作部３２は押圧解除された状態に維持され、プランジャ３４が押し込まれないため、スイッチ３０はオフ状態に維持される。この場合、検出部４０とスイッチ３０を含む回路には、電流が流れず、電球４４は非点灯状態に維持される。作業者は、セット部１２への外装部５４のセットにも拘らず、電球４４が非点灯状態であることをもって金属部５２の欠落を確認することができる。
【００４９】
本実施形態に係るハーネス保持クリップ５０の金属部検出装置によると、ハーネス保持クリップ５０の外装部５４をセット部１２に挿入するとセット部１２の内側面とガイド１４により所定のセット位置に容易に配設できる。そして、磁石２０が金属部５２に対する吸着力により第１位置と第２位置との間を移動する動作を利用して操作部３２を押圧、押圧解除し、スイッチ３０のオン、オフ切換えがなされる。このスイッチ３０のオン、オフに基づいて電球４４の点灯状態を確認等することで、確実かつ容易にハーネス保持クリップ５０の金属部５２の有無を確認することができる。
【００５０】
また、仮に上記金属部５２の有無を確認する構成として、磁気を検出する近接センサを用いた場合、近接センサ自体が高価である上、その近接センサからの検知信号を増幅する回路等を設ける必要があり、検出装置自体の製造コストが高くなってしまう。これに対して、本検査装置では、一般的な磁石２０とマイクロスイッチ等を利用することができ、各構成部品も比較的安価でかつ簡易な構成であり、比較的低コストで製造できる。例えば、本検査装置は、金属の通電特性を利用した検出装置の製造コストと同程度に低く抑えることができる。
【００５１】
また、固定部１８により基台１０を図板７０上の固定位置に設置すれば、図板７０上に配設したハーネス６０にハーネス保持クリップ５０を取付ける作業の中で、容易にハーネス保持クリップ５０の金属部５２の有無を検出することができる。
【図面の簡単な説明】
【００５２】
【図１】ハーネス保持クリップを示す図である。
【図２】ハーネス保持クリップの金属部検出装置の正面図である。
【図３】ハーネス保持クリップの金属部検出装置の側面図である。
【図４】ハーネス保持クリップの金属部検出装置の動作を示す正面図である。
【図５】ハーネス保持クリップの金属部検出装置の動作を示す側面図である。
【符号の説明】
【００５３】
１０    基台
１２    セット部
１８    固定部
２０    磁石
２２    穴部
３０    スイッチ
３２    操作部
５０    ハーネス保持クリップ
５２    金属部
６０    ハーネス
【図１】
2010008267.tif 000003
【図２】
2010008267.tif 000004
【図３】
2010008267.tif 000005
【図４】
2010008267.tif 000006
【図５】
2010008267.tif 000007